(57)【要約】【課題】空調機用ファン等を回転させるモールドモータにおいて、簡単な構造によりアースを形成するとともに、ＰＷＭインバータ駆動させたモールドモータに生じる軸受の異常磨耗を防止することができるモールドモータを提供することを目的としている。【解決手段】固定子鉄心の外周部の一部を樹脂に覆われずに露出させ、同部を金属ブラケット７との圧入勘合部とするとともに、固定子完成品１の軸方向樹脂端面４と金属ブラケット７の開口側端面を当接する構成としたものである。【選択図】  図１
2004242412.tif 000002
【特許請求の範囲】
【請求項１】
固定子鉄心に巻線を施した固定子を樹脂にて一体固化するとともに、前記樹脂または前記樹脂に一体成型した金属製ボスにより回転子に取付られた軸受を保持するためのハウシング部を形成した固定子完成品と、回転子と、前記回転子軸受と反対側に取付られた回転子軸受を保持するための金属ブラケットからなるモールドモータにおいて、固定子完成品は、固定子鉄心の外周部の一部を樹脂に覆われずに露出させた鉄心外周部に金属ブラケットを圧入するとともに、固定子完成品の軸方向樹脂端面と金属ブラケットの開口側端面を当接することを特徴とするモールドモータ。
【請求項２】
ＰＷＭインバータ駆動されていることを特徴とする請求項１に記載のモールドモータ。
【請求項３】
金属ブラケットにモータ取付足部を設けたことを特徴とする請求項１または請求項２に記載のモールドモータ。
【請求項４】
請求項３に記載のモールドモータのモータ取付足部を介して搭載した空調機。
【発明の詳細な説明】
【０００１】
【発明の属する技術分野】
本発明は、空調機用ファンモータに関するものである。
【０００２】
【従来の技術】
従来の空調機用ファンモータにおいては、インダクションモータが採用されており、その構造は図３のように鉄心に巻線が実施された固定子３１を２つの金属ブラケット３２、３４により圧入挟み込む構造となっている。回転子３３は各ブラケットの内側に形成する軸受ハウジング３５にて保持することにより、回転自在となっていた。
【０００３】
しかし、このような構造のモータにおいては振動騒音が大きく、また、巻線からの熱の放散が巻線から空気層と金属ブラケットを介し、空気中になされているためその効率が悪く、ブラケット内で熱がこもり巻線温度上昇が高くなるという課題を有していた。
【０００４】
このような課題に対して、モールドモータを採用しているものが存在した。
【０００５】
当該モールドモータの構造は図４に示すようなものであり、固定子鉄心に巻線が実施された固定子を樹脂にて一体固化した固定子完成品４１と金属ブラケット４３により回転子４２を保持する構造となっている。固定子完成品と金属ブラケットの結合はブラケットを固定子完成品へ圧入固定することにより行なっている（例えば、特許文献１参照）。
【０００６】
なお、近年、同ファンモータにおいては省エネルギー化を狙い、高効率なブラシレスモータを採用する傾向にある。
【０００７】
【特許文献１】
特開平１１−１５５２４９号公報
【０００８】
【発明が解決しようとする課題】
しかしながら、上記従来のモールドモータ仕様においては、固定子鉄心が金属ブラケットに対し絶縁されているため、固定子鉄心のアースをモールドモータが取り付けられる製品のアース線を介して形成することができず、安全性確保のため、固定子鉄心と巻線間の絶縁を２重としたり、回転子軸と回転子鉄心間に絶縁層を設けたりして２重絶縁モータとする必要があり、コスト高となる場合があった。
【０００９】
さらに、従来構造のモールドモータにおいて、ＰＷＭ（Ｐｕｌｓｅ  Ｗｉｄ−ｔｈ  Ｍｏｄｕｌａｔｉｏｎ）インバータ駆動させた場合には、回転子に誘導される高周波電圧によると、想定されている軸受の異常磨耗が稀に発生していた。
【００１０】
本発明は、上記の課題を解決するものであり、空調機用ファン等を回転させるモールドモータにおいて、簡単な構造によりアースを形成するとともに、ＰＷＭインバータ駆動させたモールドモータに生じる軸受の異常磨耗を防止することができるモールドモータを提供することを目的としている。
【００１１】
【課題を解決するための手段】
上記課題を解決するために本発明のモールドモータは、固定子鉄心の外周部の一部を樹脂に覆われずに露出させ、同部を金属ブラケットとの圧入勘合部とするとともに、固定子完成品の軸方向樹脂端面と金属ブラケットの開口側端面を当接する構成としたものである。
【００１２】
【発明の実施の形態】
本願の請求項１に記載の発明は、固定子鉄心に巻線を施した固定子を樹脂にて一体固化するとともに、前記樹脂または前記樹脂に一体成型した金属製ボスにより回転子に取付られた軸受を保持するためのハウシング部を形成した固定子完成品と、回転子と、前記回転子軸受と反対側に取付られた回転子軸受を保持するための金属ブラケットからなるモールドモータにおいて、固定子完成品は、固定子鉄心の外周部の一部を樹脂に覆われずに露出させた鉄心外周部に金属ブラケットを圧入するとともに、固定子完成品の軸方向樹脂端面と金属ブラケットの開口側端面を当接することを特徴とするモールドモータであり、固定子鉄心と金属ブラケットの導通を確保することが可能となり、固定子鉄心と金属ブラケットを同電位にすることができる。
【００１３】
請求項２に記載の発明は、ＰＷＭインバータ駆動されていることを特徴とする請求項１に記載のモールドモータであり、回転子電位が固定子鉄心、大地と同一の安定した固定電位となり、特にＰＷＭインバータ駆動されるモールドモータに発生する軸受の異常磨耗を防止することができる。
【００１４】
請求項３に記載の発明によれば、金属ブラケットにモータ取付足部を設けたことを特徴とする請求項１または請求項２に記載のモールドモータであり、固定子鉄心と取付足部間の電気的導通を確保することができる。
【００１５】
請求項４に記載の発明は、請求項３に記載のモールドモータのモータ取付足部を介して搭載した空調機であり、モールドモータが取り付けられる製品のアース線を介して形成することができる。
【００１６】
【実施例】
以下、本発明のモールドモータの一例を図１に基づいて説明する。
【００１７】
図１は、本発明のモールドファンモータの分解斜視図であり、１はモールド樹脂により一体成型固化された固定子完成品である。固定子完成品１は成型時、樹脂に覆われないように一部露出させた鉄心外周部２が形成されており、金属ブラケット７と圧入されている。
【００１８】
５は軸受ボスであり、回転子６が回転中に軸受外輪も回転し異常となるのを防止するために固定子とともに一体成型により固定している。
【００１９】
ナット１０とネジ９を軸方向樹脂端面４に金属ブラケット７の開口側端面を当接するまで、締め付け固定されている。
【００２０】
また、金属ブラケット７にはモータ取付足部１１が設けられており、図２に示すように、モールドモータを、空調機等に設けられた取付穴２２に、モータ取付足部１１の取付穴２１を介してとネジ２３で固定されている。
【００２１】
本構成によれば、モータの固定子鉄心は、金属ブラケット、モータ取付足部、本体アース線を介しアースできる。
【００２２】
【発明の効果】
上記説明から明らかなように、本願の請求項１に記載の発明によれば、確実にモールドモータのアースを確保することができる。
【００２３】
また、本願の請求項２に記載の発明によれば、従来回転子電位が不定でＰＷＭインバータ駆動による誘導電圧により軸受異常を生じていたモールドモータが、回転子電位が固定子鉄心と同一のアース電位となり安定固定するため、軸受異常の発生を防止することができる。
【００２４】
また、請求項３に記載の発明によれば、金属ブラケットに製品に取り付けるための取付足部を設けているため、固定子鉄心のアースを取付足部を介して形成することができる。
【００２５】
さらに、請求項４に記載の発明によれば、金属ブラケットに製品に取り付けるための取付足部を設けているため、固定子鉄心のアースをモールドモータが取り付けられる製品のアース線を介して形成することができる。
【図面の簡単な説明】
【図１】本発明のモールドモータを示す分解斜視図
【図２】本発明のモールドモータの本体取付状態を示す図
【図３】従来の２つの金属ブラケットにより圧入挟み込む構造のモータの分解斜視図
【図４】従来のモールドモータを示す分解斜視図
【符号の説明】
１  固定子完成品
２  露出した鉄心外周部
４  軸方向樹脂端面
５  金属製ボス
６  回転子
７  金属ブラケット
１１  モータ取付足部
【図１】
2004242412.tif 000003
【図２】
2004242412.tif 000004
【図３】
2004242412.tif 000005
【図４】
2004242412.tif 000006